(57)【要約】【課題】薬剤の利用状況を管理すること。【解決手段】薬剤利用管理システムは、少なくとも収容部に収容される薬剤に対応して備えられたＩＤタグからＩＤを読み取る読取部と、前記ＩＤに基づく識別情報と、前記薬剤を示す情報と、前記薬剤を利用する利用者を識別する情報と、前記薬剤を利用すべき時期を示す情報と、が対応付けられた薬剤利用管理情報を記憶する記憶部と、前記読取部によって読み取られた結果と前記薬剤利用管理情報とに基づいて、前記薬剤の利用状況を判定する判定部と、を備える。【選択図】図１
2019013518.tif 000002
【特許請求の範囲】
【請求項１】
少なくとも収容部に収容される薬剤に対応して備えられたＩＤタグからＩＤを読み取る読取部と、
前記ＩＤに基づく識別情報と、前記薬剤を示す情報と、前記薬剤を利用する利用者を識別する情報と、前記薬剤を利用すべき時期を示す情報と、が対応付けられた薬剤利用管理情報を記憶する記憶部と、
前記読取部によって読み取られた結果と前記薬剤利用管理情報とに基づいて、前記薬剤の利用状況を判定する判定部と、
を備えることを特徴とする薬剤利用管理システム。
【請求項２】
前記利用者に対する通知を行う通知部と、
前記読取部によって読み取られた結果と前記薬剤利用管理情報とに基づいて、前記通知部による通知を制御する通知制御部と、
を備えることを特徴とする請求項１に記載の薬剤利用管理システム。
【請求項３】
前記通知制御部は、さらに前記利用者の行動予定を示すカレンダー情報に基づいて、前記通知部による通知を制御する
ことを特徴とする請求項２に記載の薬剤利用管理システム。
【請求項４】
前記収容部と前記読取部とを備える薬箱と、
前記通知部を備える情報端末と、
を有することを特徴とする請求項２または請求項３に記載の薬剤利用管理システム。
【請求項５】
前記情報端末は、医師が利用する端末との通信を行うことができる医師端末通信部
を備えることを特徴とする請求項４に記載の薬剤利用管理システム。
【請求項６】
前記ＩＤタグは、前記薬剤を包装する薬包の開封によって前記ＩＤの読み取りが不可能になるＩＤタグである
ことを特徴とする請求項１から請求項５のうちいずれか一項に記載の薬剤利用管理システム。
【請求項７】
前記薬剤利用管理情報に基づく情報を、医師が利用する端末、薬剤師が利用する端末、および前記利用者の親族が利用する端末のうち少なくとも１つの端末へ送信する通信部、
を備えることを特徴とする請求項１から請求項６のうちいずれか一項に記載の薬剤利用管理システム。
【請求項８】
外部のシステムから前記薬剤に関する情報を示す外部情報を取得する外部情報取得部
を備え、
前記記憶部は、前記ＩＤに基づく識別情報と、前記外部情報と、が対応付けられた前記薬剤利用管理情報を記憶する
ことを特徴とする請求項１から請求項７のうちいずれか一項に記載の薬剤利用管理システム。
【請求項９】
前記記憶部は、前記ＩＤに基づく識別情報と、前記ＩＤに対応する前記薬剤が前記利用者に対して配送されたか否かを示す情報と、が対応付けられた前記薬剤利用管理情報を記憶する
ことを特徴とする請求項１から請求項８のうちいずれか一項に記載の薬剤利用管理システム。
【請求項１０】
前記ＩＤタグは、前記薬剤を包装する薬包に対し、アンテナが印刷されること、または、前記アンテナが印刷されたシールが貼り付けられることによって、前記薬剤に対応して備えられる
ことを特徴とする請求項１から請求項９のうちいずれか一項に記載の薬剤利用管理システム。
【請求項１１】
前記ＩＤタグは、前記利用者を識別する情報、または、前記利用者のマイナンバーを記憶する
ことを特徴とする請求項１から請求項１０のうちいずれか一項に記載の薬剤利用管理システム。
【請求項１２】
前記ＩＤタグは、前記薬剤の有効期限を示す情報を記憶する
ことを特徴とする請求項１から請求項１１のうちいずれか一項に記載の薬剤利用管理システム。
【請求項１３】
コンピュータによる薬剤利用管理方法であって、
読取部が、少なくとも収容部に収容される薬剤に対応して備えられたＩＤタグから、ＩＤを読み取る読取ステップと、
記憶部が、前記ＩＤに基づく識別情報と、前記薬剤を示す情報と、前記薬剤を利用する利用者を識別する情報と、前記薬剤を利用すべき時期を示す情報と、が対応付けられた薬剤利用管理情報を記憶する記憶ステップと、
判定部が、前記読取部によって読み取られた結果と前記薬剤利用管理情報とに基づいて、前記薬剤の利用状況を判定する判定ステップと、
を有することを特徴とする薬剤利用管理方法。
【請求項１４】
コンピュータに、
少なくとも収容部に収容される薬剤に対応して備えられたＩＤタグから、ＩＤを読み取る読取ステップと、
前記ＩＤに基づく識別情報と、前記薬剤を示す情報と、前記薬剤を利用する利用者を識別する情報と、前記薬剤を利用すべき時期を示す情報と、が対応付けられた薬剤利用管理情報を記憶する記憶ステップと、
前記読取ステップにおいて読み取られた結果と前記薬剤利用管理情報とに基づいて、前記薬剤の利用状況を判定する判定ステップと、
を実行させるための薬剤利用管理プログラム。
【発明の詳細な説明】
【技術分野】
【０００１】
本発明は、薬剤利用管理システム、薬剤利用管理方法、および薬剤利用管理プログラムに関する。
【背景技術】
【０００２】
病院や薬局等の医療機関において、患者に対して処方箋により薬剤が処方される。従来、処方される薬剤を管理するため、当該薬剤に関する薬剤情報を記憶できるＲＦＩＤ（Ｒａｄｉｏ  Ｆｒｅｑｕｅｎｃｙ  Ｉｄｅｎｔｉｆｉｅｒ）タグを備えた包装薬剤がある（例えば、特許文献１）。ここで言う薬剤情報とは、例えば、薬剤の種類、名称、剤形、効能、効果、用法、用量、相互作用、副作用、製造元、原料、成分、および保管に関する情報等である。これらのＲＦＩＤタグに記憶された情報を用いることにより、医療機関等は、処方薬剤の内容、処方先、および使用期限等を確認し、処方する薬剤の管理を行うことができる。
【先行技術文献】
【特許文献】
【０００３】
【特許文献１】実用新案登録第３１２８６３４号公報
【発明の概要】
【発明が解決しようとする課題】
【０００４】
ところで、患者に対して処方された薬剤は、医療機関からの指示によって予め定められた時期に、予め定められた量によって服用される必要がある。しかしながら、例えば、患者が薬剤を服用することを忘れてしまった場合等においては、医療機関からの指示どおりに薬剤の服用がなされないことが生じる。特許文献１に記載のＲＦＩＤタグを備えた包装薬剤は、上述したような薬剤情報を管理することはできても、患者による薬剤の利用状況を管理することはできないという課題がある。
【０００５】
本発明は上記のような点に鑑みてなされたものであり、薬剤の利用状況を管理することができる薬剤利用管理システム、薬剤利用管理方法、および薬剤利用管理プログラムを提供する。
【課題を解決するための手段】
【０００６】
（１）本発明は上記の課題を解決するためになされたものであり、本発明の一態様としては、少なくとも収容部に収容される薬剤に対応して備えられたＩＤタグからＩＤを読み取る読取部と、前記ＩＤに基づく識別情報と、前記薬剤を示す情報と、前記薬剤を利用する利用者を識別する情報と、前記薬剤を利用すべき時期を示す情報と、が対応付けられた薬剤利用管理情報を記憶する記憶部と、前記読取部によって読み取られた結果と前記薬剤利用管理情報とに基づいて、前記薬剤の利用状況を判定する判定部と、を備えることを特徴とする薬剤利用管理システムである。
【０００７】
（２）また、本発明の一態様としては、上記の薬剤利用管理システムであって、前記利用者に対する通知を行う通知部と、前記読取部によって読み取られた結果と前記薬剤利用管理情報とに基づいて、前記通知部による通知を制御する通知制御部と、を備えることを特徴とする。
【０００８】
（３）また、本発明の一態様としては、薬剤利用管理システムであって、前記通知制御部は、さらに前記利用者の行動予定を示すカレンダー情報に基づいて、前記通知部による通知を制御することを特徴とする。
【０００９】
（４）また、本発明の一態様としては、薬剤利用管理システムであって、前記収容部と前記読取部とを備える薬箱と、前記通知部を備える情報端末と、を有することを特徴とする。
【００１０】
（５）また、本発明の一態様としては、上記の薬剤利用管理システムであって、前記情報端末は、医師が利用する端末との通信を行うことができる医師端末通信部を備えることを特徴とする。
【００１１】
（６）また、本発明の一態様としては、上記の薬剤利用管理システムであって、前記ＩＤタグは、前記薬剤を包装する薬包の開封によって前記ＩＤの読み取りが不可能になるＩＤタグであることを特徴とする。
【００１２】
（７）また、本発明の一態様としては、上記の薬剤利用管理システムであって、前記薬剤利用管理情報に基づく情報を、医師が利用する端末、薬剤師が利用する端末、および前記利用者の親族が利用する端末のうち少なくとも１つの端末へ送信する通信部、を備えることを特徴とする。
【００１３】
（８）また、本発明の一態様としては、上記の薬剤利用管理システムであって、外部のシステムから前記薬剤に関する情報を示す外部情報を取得する外部情報取得部を備え、前記記憶部は、前記ＩＤに基づく識別情報と、前記外部情報と、が対応付けられた前記薬剤利用管理情報を記憶することを特徴とする。
【００１４】
（９）また、本発明の一態様としては、上記の薬剤利用管理システムであって、前記記憶部は、前記ＩＤに基づく識別情報と、前記ＩＤに対応する前記薬剤が前記利用者に対して配送されたか否かを示す情報と、が対応付けられた前記薬剤利用管理情報を記憶することを特徴とする。
【００１５】
（１０）また、本発明の一態様としては、上記の薬剤利用管理システムであって、前記ＩＤタグは、前記薬剤を包装する薬包に対し、アンテナが印刷されること、または、前記アンテナが印刷されたシールが貼り付けられることによって、前記薬剤に対応して備えられることを特徴とする。
【００１６】
（１１）また、本発明の一態様としては、上記の薬剤利用管理システムであって、前記ＩＤタグは、前記利用者を識別する情報、または、前記利用者のマイナンバーを記憶することを特徴とする。
【００１７】
（１２）また、本発明の一態様としては、前記ＩＤタグは、前記薬剤の有効期限を示す情報を記憶することを特徴とする。
【００１８】
（１３）本発明は上記の課題を解決するためになされたものであり、本発明の一態様としては、コンピュータによる薬剤利用管理方法であって、読取部が、少なくとも収容部に収容される薬剤に対応して備えられたＩＤタグから、ＩＤを読み取る読取ステップと、記憶部が、前記ＩＤに基づく識別情報と、前記薬剤を示す情報と、前記薬剤を利用する利用者を識別する情報と、前記薬剤を利用すべき時期を示す情報と、が対応付けられた薬剤利用管理情報を記憶する記憶ステップと、判定部が、前記読取部によって読み取られた結果と前記薬剤利用管理情報とに基づいて、前記薬剤の利用状況を判定する判定ステップと、を有することを特徴とする薬剤利用管理方法である。
【００１９】
（１４）本発明は上記の課題を解決するためになされたものであり、本発明の一態様としては、コンピュータに、少なくとも収容部に収容される薬剤に対応して備えられたＩＤタグから、ＩＤを読み取る読取ステップと、前記ＩＤに基づく識別情報と、前記薬剤を示す情報と、前記薬剤を利用する利用者を識別する情報と、前記薬剤を利用すべき時期を示す情報と、が対応付けられた薬剤利用管理情報を記憶する記憶ステップと、前記読取ステップにおいて読み取られた結果と前記薬剤利用管理情報とに基づいて、前記薬剤の利用状況を判定する判定ステップと、を実行させるための薬剤利用管理プログラムである。
【発明の効果】
【００２０】
本発明によれば、薬剤の利用状況を管理することができる。
【図面の簡単な説明】
【００２１】
【図１】本発明の一実施形態に係る薬剤利用管理システム１の概要を示す概略図である。
【図２】本発明の一実施形態に係る薬剤利用管理システム１において用いられる薬包１１の一例を示す図である。
【図３】本発明の一実施形態に係る薬剤利用管理システム１の薬箱１０の機能構成を示すブロック図である。
【図４】本発明の一実施形態に係る薬剤利用管理システム１の薬箱１０の機能構成を示すブロック図である。
【図５】本発明の一実施形態に係る薬剤利用管理システム１の薬剤利用管理サーバ２０の機能構成を示すブロック図である。
【図６】本発明の一実施形態に係る薬剤利用管理システム１の医師端末３０の機能構成を示すブロック図である。
【図７】本発明の一実施形態に係る薬剤利用管理システム１の薬剤利用管理サーバ２０が記憶するタグ・薬包対応情報２００１の構成の一例を示す図である。
【図８】本発明の一実施形態に係る薬剤利用管理システム１の薬剤利用管理サーバ２０が記憶する薬剤利用管理情報２００２の構成の一例を示す図である。
【図９】本発明の一実施形態に係る薬剤利用管理システム１の動作の一例を示すフローチャートである。
【発明を実施するための形態】
【００２２】
＜実施形態＞
以下、本発明の実施形態について説明する。
［薬剤利用管理システムの概要］
以下、本実施形態に係る薬剤利用管理システム１の概要について、図面を参照しながら説明する。
図１は、本発明の一実施形態に係る薬剤利用管理システム１の概要を示す概略図である。図１に図示するように、薬剤利用管理システム１は、薬箱１０と、ユーザ端末１５と、薬剤利用管理サーバ２０と、医師端末３０と、薬剤師端末３１と、親族端末３２と、を含んで構成される。
【００２３】
薬箱１０は、主にユーザの自宅において利用される。本実施形態においては、ユーザ（利用者）は、医療機関による医療サービスを受ける患者である。患者が利用（服用）する１または複数の薬剤は、医療機関や薬局等において、服用単位（朝食後、または昼食後等）毎に１つの薬包１１にまとめられて、再包装される。
【００２４】
図２は、本発明の一実施形態に係る薬剤利用管理システム１において用いられる薬包１１の一例を示す図である。
図２（ａ）は、薬包１１の一面を図示したものである。薬包１１は半透明の素材（例えば、紙、またはビニール）で作られており、図２（ａ）に図示するように、薬包１１に封入された薬剤１２が患者によって視認可能になっている。
【００２５】
図２（ｂ）は、図２（ａ）に示した薬包１１の面の裏側の面を図示したものである。図２（ｂ）に図示するように、薬包１１には、ＲＦＩＤタグ１３が備えられている。なお、ＲＦＩＤタグ１３は、薬包１１に対して直接印刷されることによって備えられていてもよいし、ＲＦＩＤタグ１３がシールに印刷され当該シールが薬包１１に対して貼り付けられることによって備えられていてもよい。ＲＦＩＤタグ１３には、少なくとも、当該ＲＦＩＤタグ１３を一意に識別する識別情報であるタグＩＤ（Ｉｄｅｎｔｉｆｉｅｒ；識別子）を記憶している。
【００２６】
再び図１に戻って説明する。図１に図示するように、薬箱１０の中には、服用単位で再包装された１または複数の薬包１１が格納されている。また、図１には図示していないが、薬箱１０には、後述する読取部１０１が備えられている。読取部１０１は、ＲＦＩＤタグリーダを含んで構成される。薬箱１０は、読取部１０１により、当該薬箱１０の中に格納された薬包１１に備えられたＲＦＩＤタグ１３が発する電波を検知することができる。薬箱１０は、読取部１０１により、電波を検知したＲＦＩＤタグ１３に記憶されているタグＩＤの読み取りを行う。
【００２７】
なお、患者が開封するために薬包１１を破ることによって、薬包１１に備えられたＲＦＩＤタグ１３の読み取りが不可能になるような構造にしてもよい。例えば、薬剤１２が一包化された薬包１１において、開封可能な領域に対応する位置を含むようにしつつ、開封方向に対して直交方向になるようにアンテナを取り付けておくことで、薬包１１の開封時に、ＲＦＩＤタグ１３のアンテナが切断されることで、ＲＦＩＤタグ１３が電波を発信することができなくなる。
これにより、たとえ患者が開封済みの薬包１１を薬箱１０の中に再び戻してしまった場合であっても、薬剤利用管理サーバ２０が、薬剤の利用がなされていないと誤認識することを避けることができる。
【００２８】
薬箱１０は、通信ネットワーク５０を介してユーザ端末１５と通信接続する。通信ネットワーク５０は、例えば、Ｂｌｕｅｔｏｏｔｈ（登録商標）等の無線通信による通信ネットワークである。なお、通信ネットワーク５０は、その他の通信規格に基づく無線通信や、有線通信による通信ネットワークであっても構わない。
薬箱１０は、上記において読み取ったタグＩＤを示す情報（例えば、読み取ったタグＩＤのリスト）を、通信ネットワーク５０を介してユーザ端末１５へ送信する。
【００２９】
ユーザ端末１５は、主にユーザの自宅において薬箱１０の近傍で利用される端末装置である。ユーザ端末１５は、例えば、タブレット型の携帯情報端末である。ユーザ端末１５は、通信ネットワーク５０を介して、薬箱１０によって読み取られたタグＩＤを示す情報を取得する。
【００３０】
また、ユーザ端末１５は、通信ネットワーク５１を介して薬剤利用管理サーバ２０と通信接続する。通信ネットワーク５１は、例えば、インターネット、各種の閉域網（例えば、専用線、またはＶＰＮ（Ｖｉｒｔｕａｌ  Ｐｒｉｖａｔｅ  Ｎｅｔｗｏｒｋ；仮想プライベートネットワーク）等）、またはそれらの通信ネットワークの組合せによって構成される。なお、通信ネットワーク５１は、有線の通信ネットワークであってもよいし、一部または全部が無線の通信ネットワークであってもよい。
【００３１】
ユーザ端末１５は、上記において取得したタグＩＤを示す情報を、通信ネットワーク５０を介して、薬剤利用管理サーバ２０へ送信する。
【００３２】
薬剤利用管理サーバ２０は、例えば、患者の薬剤の利用状況を管理するサービス（薬剤利用管理サービス）を提供する事業者によって管理されるサーバ装置である。薬剤利用管理サーバ２０は、例えば、汎用コンピュータ、またはパーソナルコンピュータ等を含んで構成される。薬剤利用管理サーバ２０は、通信ネットワーク５１を介して、ユーザ端末１５から送信されたタグＩＤを示す情報を取得する。
【００３３】
薬剤利用管理サーバ２０は、タグＩＤと、薬包を識別する識別情報である薬包ＩＤと、を対応付けたタグ・薬包対応情報２００１を記憶している。また、薬剤利用管理サーバ２０は、薬包ＩＤと、薬剤１２を示す情報（例えば、薬剤の名称）と、患者を識別する識別情報である患者ＩＤと、薬剤１２を利用すべき時期を示す情報（以下、「利用時期情報」と称する）と、を少なくとも対応付けた薬剤利用管理情報２００２を記憶している。
【００３４】
なお、タグ・薬包対応情報２００１を記憶してタグＩＤと薬包１１との対応付けを管理するサーバと、薬剤利用管理情報２００２を記憶して薬剤１２の利用に関する情報（例えば、利用時期情報、薬剤１２の利用状況を示す情報、および処方される薬剤１２に関する情報等）を管理するサーバと、がそれぞれ別々のサーバ装置であるような構成であっても構わない。
【００３５】
なお、薬剤１２が薬包１１によって包装され、薬包１１にＲＦＩＤタグ１３が備えられる際に、例えば、薬剤利用管理サーバ２０のシステム管理者によって、薬包１１に対応する薬包ＩＤとタグＩＤとが対応付けられてタグ・薬包対応情報２００１に記憶され、また、薬包ＩＤと上述したような薬剤１２に利用に関するその他の情報とが対応付けられて薬剤利用管理情報２００２に記憶される。
【００３６】
薬剤利用管理サーバ２０は、タグ・薬包対応情報２００１に基づいて、ユーザ端末１５から取得した情報に基づくタグＩＤにそれぞれ対応する薬包ＩＤを特定する。そして、薬剤利用管理サーバ２０は、特定した薬包ＩＤと、薬剤利用管理情報２００２に含まれる薬包ＩＤと、の突き合わせを行う。
薬剤利用管理情報２００２に含まれる薬包ＩＤが、上記において特定した薬包ＩＤに含まれる薬包ＩＤである場合には、薬剤利用管理サーバ２０は、当該薬包ＩＤに対応する薬包１１が薬箱１０に存在することを認識できる。すなわち、薬剤利用管理サーバ２０は、当該薬包１１に含まれる薬剤１２が、患者によってまだ利用されていないことを推定することができる。
また、薬剤利用管理情報２００２に含まれる薬包ＩＤが、上記において特定した薬包ＩＤに含まれない薬包ＩＤである場合には、薬剤利用管理サーバ２０は、当該薬包ＩＤに対応する薬包１１が薬箱１０に存在しないことを認識できる。すなわち、薬剤利用管理サーバ２０は、当該薬包１１に含まれる薬剤１２が、患者によって既に利用されたことを推定することができる。
【００３７】
薬剤利用管理サーバ２０は、薬剤利用管理情報２００２に基づいて、上記において特定した薬包ＩＤに対応する利用時期情報を取得する。薬剤利用管理サーバ２０は、取得した利用時期情報に基づく利用時期と、現時点（例えば、現在時刻）と、を比較する。そして、取得した利用時期情報に基づく利用時期が、現時点（例えば、現在時刻）よりも前の時点である場合（すなわち、利用時期を過ぎている場合）、薬包ＩＤと利用時期情報とを、通信ネットワーク５１を介して、ユーザ端末１５へ送信する。
【００３８】
ユーザ端末１５は、薬包ＩＤと利用時期情報とを取得すると、これらの情報に従って、患者に対する通知内容を生成し、通知を行う。例えば、ユーザ端末１５は、アラーム音を鳴らし、「○月○日の朝食後に服用する予定になっている薬がまだ服用されていません。」といったような内容の通知文を画面に表示させる。
【００３９】
このように、薬剤利用管理システム１は、薬箱１０に格納されている薬包１１を特定することができる。そして、薬剤利用管理システム１は、特定した薬包１１に含まれる薬剤１２が利用されるべき時期を特定し、利用されるべき時期が既に過ぎている場合には、患者に対して通知を行うことができる。
【００４０】
なお、本実施形態においては、利用時期情報に基づく利用時期が現時点よりも前の時点である場合に、薬剤利用管理サーバ２０は、薬包ＩＤと利用時期情報とをユーザ端末１５へ送信するものとしたが、これに限られるものではない。例えば、利用時期情報に基づく利用時期が現時点よりも前の時点である場合に、薬剤利用管理サーバ２０が、薬包ＩＤのみをユーザ端末１５へ送信する構成であってもよいし、薬包ＩＤと利用時期情報とに加えて、さらにその他の薬剤利用管理情報２００２に含まれる情報等も送信する構成であってもよい。
【００４１】
なお、薬剤１２が利用されるべき時期が過ぎている場合に行われる通知は、ユーザ端末１５において行われるだけでなく、親族端末３２、医師端末３０、および薬剤師端末３１においても行われるような構成にしてもよい。
【００４２】
なお、利用時期を過ぎた場合に通知を行うだけでなく、薬剤利用管理情報２００２に含まれる利用時期情報に基づいて、当該利用時期情報に基づく利用時期が近づいたタイミングで、薬剤利用管理システム１が、患者に対して事前に、薬剤１２の服用をリマインドするための通知を行うようにしてもよい。
【００４３】
なお、患者がユーザ端末１５を操作して、薬剤利用管理サーバ２０に対して問い合わせを行い、薬剤利用管理情報２００２に含まれる利用時期情報に基づく薬剤１２の利用すべき時期を、患者が確認することができるような構成にしてもよい。また、薬剤１２の利用すべき時期だけでなく、薬剤１２の消費期限や効能等を、患者がユーザ端末１５を操作することによって確認することができるような構成にしてもよい。
【００４４】
なお、ユーザ端末１５により患者に対して行われる通知のタイミングを、患者が自らカスタマイズすることができるような構成にしてもよい。例えば、患者がユーザ端末１５を操作して、例えば、薬剤１２を利用すべき時期の３０分前、または１時間後、あるいは、薬剤１２の利用が医療機関からの指示通りに行われなかったことが２回以上続いた場合、等のタイミング等において通知がなされるように、患者が自ら設定することができるようにしてもよい。
【００４５】
薬剤利用管理サーバ２０は、通信ネットワーク５２を介して、医師端末３０、薬剤師端末３１、および親族端末３２と通信接続する。通信ネットワーク５２は、例えば、インターネット、各種の閉域網（例えば、専用線、またはＶＰＮ等）、またはそれらの通信ネットワークの組合せによって構成される。なお、通信ネットワーク５２は、有線の通信ネットワークであってもよいし、一部または全部が無線の通信ネットワークであってもよい。
薬剤利用管理サーバ２０は、薬剤利用管理情報２００２に基づく情報を、通信ネットワーク５２を介して、医師端末３０、薬剤師端末３１、および親族端末３２へ送信することができる。
なお、薬剤利用管理情報２００２に基づく情報が送信される対象の端末（例えば、上記の医師端末３０、薬剤師端末３１、および親族端末３２）は、当該情報を開示することを患者によって許可された端末のみに限定するようにしてもよい。
【００４６】
医師端末３０は、病院や診療所等の医療機関に置かれ、医師等が利用する端末装置である。医師端末３０は、例えば、タブレット型の携帯情報端末である。医師端末３０は、薬剤利用管理サーバ２０から、薬剤利用管理情報２００２に基づく各種の情報を取得し、表示する。ここで言う各種の情報とは、例えば、薬剤１２の処方履歴を示す情報、および薬剤１２の残薬量を示す情報等である。
【００４７】
また、医師は、医師端末３０により、例えば、患者に対する服薬指導等に関する情報を入力し、通信ネットワーク５２を介して、薬剤利用管理サーバ２０へ送信することができる。薬剤利用管理サーバ２０は、服薬指導等に関する情報を記憶し、適宜、服薬指導等に関する情報を、通信ネットワーク５１を介してユーザ端末１５へ送信する。ユーザ端末１５は、服薬指導等に関する情報を取得し、表示する。このように、薬剤利用管理システム１によれば、医師によって入力された服薬指導等に関する情報を、患者に対して提示させることができる。
【００４８】
薬剤師端末３１は、薬局等に置かれ、薬剤師等が利用する端末装置である。薬剤師端末３１は、例えば、ノート型またはデスクトップ型のパーソナルコンピュータである。薬剤師端末３１は、薬剤利用管理サーバ２０から、薬剤利用管理情報２００２に基づく各種の情報を取得し、表示する。ここで言う各種の情報とは、例えば、薬剤１２の残薬量を示す情報等である。
【００４９】
また、薬剤師も、薬剤師端末３１により、例えば、患者に対する服薬指導等に関する情報を入力し、通信ネットワーク５２を介して、薬剤利用管理サーバ２０へ送信することができる。薬剤利用管理サーバ２０は、服薬指導等に関する情報を記憶し、適宜、服薬指導等に関する情報を、通信ネットワーク５１を介してユーザ端末１５へ送信する。ユーザ端末１５は、服薬指導等に関する情報を取得し、表示する。このように、薬剤利用管理システム１によれば、薬剤師によって入力された服薬指導等に関する情報を、患者に対して提示させることができる。
【００５０】
親族端末３２は、患者の親族（例えば、家族）が利用する端末装置である。親族端末３２は、例えば、スマートフォンである。親族端末３２は、薬剤利用管理サーバ２０から、薬剤利用管理情報２００２に基づく各種の情報を取得し、表示する。ここで言う各種の情報とは、例えば、薬剤１２の利用状況を示す情報等である。薬剤１２の利用状況を確認することにより、患者の親族は、患者の日常の行動の見守りをすることができる。すなわち、例えば、医療機関からの指示通りに患者が薬剤１２を利用していることを、患者の親族が親族端末３２によって確認できることにより、患者の親族は患者の生活の見守りを行うことができる。
【００５１】
なお、医師端末３０、薬剤師端末３１、または親族端末３２と、ユーザ端末１５とは、薬剤利用管理サーバ２０を介さずに、それぞれ直接通信接続できるような構成がさらにあってもよい。
例えば、医師端末３０とユーザ端末１５の医師端末通信部（図示せず）とが直接通信接続することによって、リアルタイムに医師と患者との間でコミュニケーションを図ることができる機能（ホットライン機能）を実現することができる。これにより、例えば、患者の体調が急に悪化した場合等のような緊急時に、患者が、即座に医師と直接対話をして相談をすることができる。
【００５２】
また、例えば、親族端末３２とユーザ端末１５の親族端末通信部（図示せず）とが直接通信接続することによって、親族と患者との間で写真や動画等のデータを送受信する機能（写真や動画等の共有機能）を実現することができる。
【００５３】
また、例えば、親族端末３２とユーザ端末１５とが直接通信接続することによって、ユーザ端末１５に記憶されている、患者のスケジュールを示すカレンダー情報１５０１を、親族と患者との間で共有することができる。これにより、親族は、患者による薬剤の利用状況を示す情報とカレンダー情報とを照らし合わせた上で、患者の日常の行動の見守りをすることができる。すなわち、例えば、医療機関からの指示通りに患者による薬剤１２の服用がなされていなくても、カレンダー情報を参照することによって、親族は、医療機関からの指示通りに薬剤１２の服用がなされていない理由を推測することができ、その理由に応じた対処（例えば、患者と連絡を取る、あるいは、問題ないと判断して患者と連絡を取らない等の対処）を行うことができる。
【００５４】
なお、薬剤利用管理サーバ２０は、例えば、通信ネットワーク５２を介して、外部のシステム等と通信接続し、外部のシステム等から各種の情報を取得して、取得した情報と薬剤利用管理情報２００２を対応付けて記憶させるようにしてもよい。例えば、薬剤利用管理サーバ２０の外部情報取得部（図示せず）が、外部のシステム等から薬剤等に関する情報（外部情報）を取得して、当該外部情報を、薬剤利用管理情報２００２に含まれる薬剤ＩＤ等と対応付けて記憶させるようにしてもよい。
【００５５】
［薬箱の機能構成］
以下、薬箱１０の機能構成について、図面を参照しながら説明する。
図３は、本発明の一実施形態に係る薬剤利用管理システム１の薬箱１０の機能構成を示すブロック図である。図示するように、薬箱１０は、収容部１００と、読取部１０１と、通信部１０２と、を含んで構成される。
【００５６】
収容部１００は、薬包１１を収容する。
読取部１０１は、収容部１００に収容された薬包１１に備えられたＲＦＩＤタグ１３が発信する電波を検知し、当該ＲＦＩＤタグ１３に記憶されたタグＩＤを読み取る。読取部１０１は、ＲＦＩＤタグリーダを含んで構成される。
なお、本実施形態においては、読取部１０１のＲＦＩＤタグリーダが、薬包１１に備えられたＲＦＩＤタグ１３を読み取る構成としたが、これに限られるものではない。例えば、薬包１１に二次元コード（例えば、ＱＲコード（登録商標））が印刷され、読取部１０１が、当該二次元コードを読み取る二次元コードリーダを備えるような構成であっても構わない。
【００５７】
通信部１０２は、通信ネットワーク５０を介してユーザ端末１５と通信接続し、読取部１０１が読み取ったタグＩＤを示す情報をユーザ端末１５へ送信するための通信インターフェースである。
【００５８】
［ユーザ端末の機能構成］
以下、ユーザ端末１５の機能構成について、図面を参照しながら説明する。
図４は、本発明の一実施形態に係る薬剤利用管理システム１のユーザ端末１５の機能構成を示すブロック図である。図示するように、ユーザ端末１５は、記憶部１５０と、タグ情報取得部１５１と、通信部１５２と、通知制御部１５３と、通知部１５４と、操作入力部１５５と、を含んで構成される。
【００５９】
記憶部１５０は、ユーザ端末１５において用いられる各種のデータやソフトウェアプログラム等を記憶する。記憶部１５０は、記憶媒体、例えば、ＨＤＤ（Ｈａｒｄ  Ｄｉｓｋ  Ｄｒｉｖｅ；ハードディスクドライブ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ；イーイーピーロム）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、ＲＯＭ（Ｒｅａｄ  Ｏｎｌｙ  Ｍｅｍｏｒｙ；読み出し専用メモリ）、またはこれらの記憶媒体の任意の組み合わせによって構成される。
また、記憶部１５０は、患者の行動予定を示す情報を含むカレンダー情報１５０１を記憶している。
【００６０】
タグ情報取得部１５１は、薬箱１０から、通信ネットワーク５０を介して、当該薬箱１０によって読み取られたタグＩＤを示す情報を取得するための通信インターフェースである。
通信部１５２は、通信ネットワーク５１を介して、薬剤利用管理サーバ２０と通信接続するための通信インターフェースである。通信部１５２は、タグ情報取得部１５１が取得したタグＩＤを示す情報を、薬剤利用管理サーバ２０へ送信する。また、通信部１５２は、薬剤利用管理サーバ２０から、薬包ＩＤと利用時期情報とを取得する。
【００６１】
通知制御部１５３は、患者に対する各種の通知を行う通知部１５４による通知処理を制御する。通知制御部１５３は、例えば、通信部１５２が取得した薬包ＩＤと利用時期情報とに基づいて、患者に対する通知内容を生成し、通知部１５４に通知させる制御を行う。例えば、通知制御部１５３は、通知部１５４がアラーム音を鳴らすように当該通知部１５４を制御する。また、例えば、通知制御部１５３は、通知部１５４が「○月○日の朝食後に服用する予定になっている薬がまだ服用されていません。」という通知文を表示するように当該通知部１５４を制御する。
【００６２】
なお、通知制御部１５３は、通信部１５２が取得した薬包ＩＤと利用時期情報に基づくだけでなく、さらに記憶部１５０に記憶されたカレンダー情報１５０１に基づいて、患者に対する通知内容を生成して通知を行ったり、あるいは通知を行わなかったりするように通知を制御してもよい。
【００６３】
すなわち、カレンダー情報１５０１に含まれる患者の行動予定を示す情報において、例えば、患者が特定の期間、自宅から離れるような行動予定（例えば、特定の期間、療養のため遠隔地に滞在するような予定等）が登録されているような場合、医療機関による指示通りのタイミングで薬包１１が薬箱１０から取り出されて薬剤１２が消費されるとは限らない。そのため、通知制御部１５３は、カレンダー情報１５０１に含まれる患者の行動予定を示す情報を考慮した上で、通知内容を生成して通知を行ったり、あるいは通知を行わなかったりするように通知を制御してもよい。
【００６４】
通知部１５４は、通知制御部１５３からの指示に従って通知処理を行う。通知部１５４は、音声出力装置（例えば、スピーカ等）を備え、音声によって患者に対する通知を行う。また、通知部１５４は、画像表示装置（例えば、液晶ディスプレイ、または有機ＥＬ（Ｅｌｅｃｔｒｏ  Ｌｕｍｉｎｅｓｃｅｎｃｅ）ディスプレイ等）を備え、画像を表示することによって患者に対する通知を行う。
なお、通知部１５４は、上記の音声出力装置および画像表示装置のうち、いずれか1つのみを備えているような構成であってもよいし、その他の通知手段（例えば、振動による通知手段、または発光による通知手段等）を有する部材を備えているような構成であってもよい。
【００６５】
操作入力部１５５は、患者による操作入力を受け付ける入力デバイスである。操作入力部１５５は、例えば、入力ボタン、および上記の通知部１５４が備えるディスプレイと組み合わされたタッチパネル等を含んで構成される。
【００６６】
［薬剤利用管理サーバの機能構成］
以下、薬剤利用管理サーバ２０の機能構成について、図面を参照しながら説明する。
図５は、本発明の一実施形態に係る薬剤利用管理システム１の薬剤利用管理サーバ２０の機能構成を示すブロック図である。図示するように、薬剤利用管理サーバ２０は、記憶部２００と、制御部２０１と、通信部２０２と、判定部２０３と、計時部２０４と、を含んで構成される。
【００６７】
記憶部２００は、薬剤利用管理サーバ２０において用いられる各種のデータやソフトウェアプログラム等を記憶する。記憶部２００は、記憶媒体、例えば、ＨＤＤ、フラッシュメモリ、ＥＥＰＲＯＭ、ＲＡＭ、ＲＯＭ、またはこれらの記憶媒体の任意の組み合わせによって構成される。
【００６８】
また、図５に図示するように、記憶部２００は、タグ・薬包対応情報２００１と、薬剤利用管理情報２００２と、を記憶する。
タグ・薬包対応情報２００１は、薬包１１に備えられたＲＦＩＤタグ１３に記憶されたタグＩＤと、当該薬包１１を識別する薬包ＩＤと、が対応付けられた情報である。タグ・薬包対応情報２００１の構成の一例については後述する。
薬剤利用管理情報２００２は、薬包ＩＤと、当該薬包に含まれる薬剤１２を示す情報（例えば、薬剤の名称）と、当該薬剤１２が処方された患者を識別する患者ＩＤと、当該薬剤１２の利用時期情報と、が対応付けられた情報である。薬剤利用管理情報２００２の構成の一例については後述する。
【００６９】
制御部２０１は、記憶部２００に記憶されたソフトウェアプログラムを読み出して実行することにより、薬剤利用管理サーバ２０の各機能ブロックによる処理を制御する。制御部２０１は、例えば、ＣＰＵ（Ｃｅｎｔｒａｌ  Ｐｒｏｃｅｓｓｉｎｇ  Ｕｎｉｔ；中央演算処理装置）を含んで構成される。
【００７０】
通信部２０２は、通信ネットワーク５１を介して、ユーザ端末１５と通信接続するための通信インターフェースである。通信部２０２は、例えば、ユーザ端末１５から、タグＩＤを示す情報を取得する。また、通信部２０２は、例えば、ユーザ端末１５へ、薬包ＩＤを示す情報および利用期限情報を送信する。
また、通信部２０２は、通信ネットワーク５２を介して、医師端末３０、薬剤師端末３１、親族端末３２、およびその他の外部の装置と通信接続するための通信インターフェースである。通信部２０２は、医師端末３０、薬剤師端末３１、親族端末３２、およびその他の外部の装置との間で、各種のデータの送受信を行う。
【００７１】
判定部２０３は、薬箱１０によって読み取られたタグＩＤに基づく薬包ＩＤと、薬剤利用管理情報２００２に含まれる薬包ＩＤと、に基づいて、患者による薬剤１２の利用状況を判定する。すなわち、判定部２０３は、ユーザ端末１５から取得した情報に基づくタグＩＤにそれぞれ対応する薬包ＩＤを特定する。そして、判定部２０３は、特定した薬包ＩＤと、薬剤利用管理情報２００２に含まれる薬包ＩＤと、の突き合わせを行う。
【００７２】
そして、判定部２０３は、薬剤利用管理情報２００２に含まれる薬包ＩＤが、上記において特定した薬包ＩＤに含まれる薬包ＩＤであるか否かに基づいて、当該薬包ＩＤに対応する薬包１１が薬箱１０に存在するか否かを認識できる。これにより、判定部２０３は、当該薬包１１に含まれる薬剤１２が患者によって利用されたか否かを判定することができる。
【００７３】
計時部２０４は、現時点（例えば、現在時刻）を示す計時情報を出力することができる。計時部２０４は、例えば、ＮＴＰ（Ｎｅｔｗｏｒｋ  Ｔｉｍｅ  Ｐｒｏｔｏｃｏｌ）クライアントを含んで構成され、インターネットを介してＮＴＰサーバと通信接続し、当該ＮＴＰサーバが公開する現在時刻を示す計時情報を取得して出力する。
【００７４】
制御部２０１は、薬剤利用管理情報２００２に基づいて、判定部２０３により薬箱１０の中に格納されていると判定された薬包ＩＤに対応する、利用時期情報を取得する。制御部２０１は、取得した利用時期情報に基づく利用時期と、現時点（例えば、現在時刻）と、を比較する。なお、制御部２０１は、現時点を示す計時情報を、計時部２０４から取得する。そして、取得した利用時期情報に基づく利用時期が、現時点（例えば、現在時刻）を過ぎた時点である場合、制御部２０１は、薬包ＩＤと利用時期情報とを、通信部２０２を介して、ユーザ端末１５へ送信する。
【００７５】
［医師端末の構成］
以下、医師端末３０の構成について、図面を参照しながら説明する。
なお、医師端末３０と、薬剤師端末３１および親族端末３２と、は機能構成が共通する、あるいは類似するため、薬剤師端末３１および親族端末３２の機能構成についての詳細な説明は省略する。
図６は、本発明の一実施形態に係る薬剤利用管理システム１の医師端末３０の機能構成を示すブロック図である。図示するように、医師端末３０は、記憶部３００と、通信部３０１と、表示部３０２と、操作入力部３０３と、を含んで構成される。
【００７６】
記憶部３００は、医師端末３０において用いられる各種のデータやソフトウェアプログラム等を記憶する。記憶部３００は、記憶媒体、例えば、ＨＤＤ、フラッシュメモリ、ＥＥＰＲＯＭ、ＲＡＭ、ＲＯＭ、またはこれらの記憶媒体の任意の組み合わせによって構成される。
通信部３０１は、通信ネットワーク５２を介して薬剤利用管理サーバ２０と通信接続するための通信インターフェースである。通信部３０１は、薬剤利用管理サーバ２０から、薬剤利用管理情報２００２に基づく各種の情報（例えば、処方履歴、および残薬量を示す情報等）を取得する。また、通信部３０１は、薬剤利用管理サーバ２０へ、例えば、服薬指導に関する情報等を送信する。
【００７７】
表示部３０２は、医師等に対して提示される各種の情報を表示する。表示部３０２は、例えば、液晶ディスプレイ、または有機ＥＬディスプレイ等を含んで構成される。
操作入力部３０３は、医師等による操作入力を受け付ける入力デバイスである。操作入力部３０３は、例えば、入力ボタン、および上記の表示部３０２が備えるディスプレイと組み合わされたタッチパネル等を含んで構成される。
【００７８】
［タグ・薬包対応情報の構成］
以下、タグ・薬包対応情報２００１の構成について、図面を参照しながら説明する。
図７は、本発明の一実施形態に係る薬剤利用管理システム１の薬剤利用管理サーバ２０が記憶するタグ・薬包対応情報２００１の構成の一例を示す図である。図示するように、タグ・薬包対応情報２００１は、「タグＩＤ」と、「薬包ＩＤ」と、の２つの項目の列からなる２次元の表形式のデータである。
【００７９】
図７に図示するように、例えば、「ＲＦ０００００１」というタグＩＤに対して、「ｍｄ１００００１」という薬包ＩＤが対応付けられている。これは、「ｍｄ１００００１」という薬包ＩＤによって識別される薬包１１に備えられたＲＦＩＤタグ１３に記憶されているタグＩＤが、「ＲＦ０００００１」であることを表す。
【００８０】
なお、上述したように、例えば、薬包１１にＲＦＩＤタグ１３が備えられる際に、当該薬包１１に対応する薬包ＩＤと、当該ＲＦＩＤタグ１３に記憶されたタグＩＤと、が対応付けられてタグ・薬包対応情報２００１が生成され、記憶部２００に記憶される。
なお、タグ・薬包対応情報２００１の生成、および当該タグ・薬包対応情報２００１の記憶部２００への書込みは、例えば、薬剤利用管理システム１のシステム管理者によって行われる。
【００８１】
［薬剤利用管理情報の構成］
以下、薬剤利用管理情報２００２の構成について、図面を参照しながら説明する。
図８は、本発明の一実施形態に係る薬剤利用管理システム１の薬剤利用管理サーバ２０が記憶する薬剤利用管理情報２００２の構成の一例を示す図である。図示するように、薬剤利用管理情報２００２は、「薬包ＩＤ」と、「患者ＩＤ」と、「利用すべき時期」と、「薬剤の内容」と、の少なくとも４つの項目を含む複数の項目の列からなる、２次元の表形式のデータである。
【００８２】
図８に図示するように、例えば、「ｍｄ１００００１」という薬包ＩＤに対して、「ｐａｔ００１」という患者ＩＤと、「２０１７／６／１  １０：００」という利用すべき時期を示す日時情報（利用時期情報）と、「ａａａ」および「ｂｂｂ」という薬剤１２の内容（例えば、薬剤１２の名称）を示す情報と、が対応付けられている。これは、「ｍｄ１００００１」という薬包ＩＤが付与された薬包１１に含まれる薬剤１２が処方された患者を識別する患者ＩＤが、「ｐａｔ００１」であること、当該薬包１１に含まれる薬剤１２が利用されるべき時期（例えば、利用期限）が「２０１７／６／１  １０：００」であること、および、当該薬包１１に含まれる薬剤１２の内容が「ａａａ」および「ｂｂｂ」であること、を表す。
【００８３】
なお、上述したように、例えば、薬剤１２が薬包１１によって包装される際に、薬包ＩＤと、患者ＩＤと、利用時期情報と、薬剤の内容を示す情報と、が少なくとも対応付けられて、薬剤利用管理情報２００２が生成され、記憶部２００に記憶される。
なお、薬剤利用管理情報２００２の生成、および当該薬剤利用管理情報２００２の記憶部２００への書込みは、例えば、薬剤利用管理システム１のシステム管理者によって行われる。
【００８４】
［薬剤利用管理システムの動作］
以下、薬剤利用管理システム１の動作の一例について、図面を参照しながら説明する。
図９は、本発明の一実施形態に係る薬剤利用管理システム１の動作の一例を示すフローチャートである。本フローチャートの処理は、定期的に（例えば、１秒毎に、または１分毎に）開始される。
【００８５】
（ステップＳ００１）薬箱１０の読取部１０１は、薬箱１０の収容部１００に格納されている薬包１１に備えられたＲＦＩＤタグ１３が発信する電波を検知し、当該ＲＦＩＤタグ１３に記憶されているタグＩＤを読み取る。その後、ステップＳ００２へ進む。
（ステップＳ００２）薬箱１０の通信部１０２は、ステップＳ００１において読み取られたタグＩＤを示す情報を、通信ネットワーク５０を介して、ユーザ端末１５へ送信する。その後、ステップＳ００３へ進む。
【００８６】
（ステップＳ００３）ユーザ端末１５の通信部１５２は、ステップＳ００２において通信部１０２から送信されたタグＩＤを示す情報を取得する。その後、ステップＳ００４へ進む。
（ステップＳ００４）ユーザ端末１５の通信部１５２は、ステップＳ００３において取得したタグＩＤを示す情報を、通信ネットワーク５１を介して、薬剤利用管理サーバ２０へ送信する。その後、ステップＳ００５へ進む。
【００８７】
（ステップＳ００５）薬剤利用管理サーバ２０の通信部２０２は、ステップＳ００４において通信部１５２から送信されたタグＩＤを示す情報を取得する。その後、ステップＳ００６へ進む。
（ステップＳ００６）薬剤利用管理サーバ２０の判定部２０３は、記憶部２００に記憶されたタグ・薬包対応情報２００１に基づいて、ステップＳ００５において取得した情報に基づくタグＩＤにそれぞれ対応する薬包ＩＤを特定し、患者による薬剤１２の利用状況を判定する。その後、ステップＳ００７へ進む。
【００８８】
（ステップＳ００７）薬剤利用管理サーバ２０の制御部２０１は、記憶部２００に記憶されている薬剤利用管理情報２００２に基づいて、ステップＳ００６において特定された薬包ＩＤにそれぞれ対応付けられた利用時期情報を取得する。その後、ステップＳ００８へ進む。
（ステップＳ００８）薬剤利用管理サーバ２０の制御部２０１は、ステップＳ００７において取得した利用時期情報に基づく利用時期と、現時点（例えば、現在時刻）と、を比較する。その後、ステップＳ００９へ進む。
【００８９】
（ステップＳ００９）ステップＳ００７において取得した利用時期情報に基づく利用時期が現時点よりも前の時点である場合、ステップＳ０１０へ進む。そうでない場合、すなわち、ステップＳ００７において取得した利用時期情報に基づく利用時期が現時点よりも後の時点である場合、本フローチャートの処理が終了する。
（ステップＳ０１０）薬剤利用管理サーバ２０の通信部２０２は、薬包ＩＤを示す情報と利用時期情報とを、通信ネットワーク５１を介してユーザ端末１５へ送信する。その後、ステップＳ０１１へ進む。
【００９０】
（ステップＳ０１１）ユーザ端末１５の通信部１５２は、ステップＳ０１０において通信部２０２から送信された薬包ＩＤを示す情報と利用時期情報とを取得する。その後、ステップＳ０１２へ進む。
（ステップＳ０１２）ユーザ端末１５の通知制御部１５３は、ステップＳ０１１において取得した、薬包ＩＤと利用時期情報とに従って、患者に対する通知内容を生成する。その後ステップＳ０１３へ進む。
【００９１】
（ステップＳ０１３）ユーザ端末１５の通知部１５４は、ステップＳ０１２において生成された通知内容を用いて患者に対する通知を実行する。
以上で、本フローチャートの処理が終了する。
【００９２】
以上説明したように、本発明の一実施形態に係る薬剤利用管理システム１は、少なくとも薬箱１０の収容部１００に収容される薬剤１２が封入された薬包１１に対応して備えられたＲＦＩＤタグ１３から、タグＩＤを読み取る読取部１０１を備える。また、薬剤利用管理システム１は、タグＩＤに対応する薬包ＩＤと、薬剤を示す情報と、薬剤を利用する患者を識別する患者ＩＤと、薬剤を利用すべき時期を示す情報と、が対応付けられた薬剤利用管理情報２００２を記憶する記憶部２００を備える。また、薬剤利用管理システム１は、読取部１０１によって読み取られた結果と薬剤利用管理情報２００２とに基づいて、薬剤１２の利用状況を判定する判定部２０３を備える。
【００９３】
薬剤利用管理システム１は、読み取ったタグＩＤに対応する薬包ＩＤと、薬剤利用管理情報２００２に含まれる薬包ＩＤと、の突き合わせを行い、薬剤利用管理情報２００２に含まれる薬包ＩＤが、読み取ったタグＩＤに対応する薬包ＩＤに含まれる薬包ＩＤであるか否かに基づいて、当該薬包ＩＤに対応する薬包１１が薬箱１０に存在するか否かを認識することができる。これにより、薬剤利用管理システム１は、当該薬包１１に含まれる薬剤１２が患者によって利用されたか否かを推定することができるため、患者による薬剤１２の利用状況を管理することができる。
【００９４】
なお、本実施形態に係る薬剤利用管理システム１においては、薬剤利用管理情報２００２に含まれる各種の情報、およびタグ・薬包対応情報２００１に含まれる情報は、いずれも薬剤利用管理サーバ２０の記憶部２００に記憶される構成であるものとしたが、これに限られるものではない。
例えば、薬剤利用管理情報２００２に含まれる各種の情報、およびタグ・薬包対応情報２００１に含まれる情報の、一部または全部が、ユーザ端末１５の記憶部１５０に記憶されるような構成であってもよいし、あるいは、それぞれのＲＦＩＤタグ１３に記憶されているような構成であってもよい。
これにより、薬剤利用管理システム１は、例えば、薬剤利用管理サーバ２０とユーザ端末１５と間の通信を行うことなく、患者の自宅等に置かれた薬箱１０およびユーザ端末１５によるスタンドアロンの構成で、患者による薬剤１２の利用状況を管理することができる。
【００９５】
なお、ＲＦＩＤタグ１３に、患者ＩＤの代わりに患者のマイナンバーが記憶されているような構成であってもよい。各種の行政サービスにおいて住民の識別に用いられているマイナンバーを用いることにより、本実施形態に係る薬剤利用管理システム１と、各種の行政サービスと、の連携をより行いやすくすることができる。
【００９６】
なお、ＲＦＩＤタグ１３に、薬剤１２の有効期限を示す情報が記憶されているような構成であってもよい。これにより、薬剤利用管理システム１は、全ての薬剤１２の有効期限を容易に管理することができる。
【００９７】
なお、薬剤利用管理情報２００２に、薬剤１２が封入された薬包１１が患者に対して配送されたか否かを示す情報を含めるようにしてもよい。これにより、薬剤利用管理システム１は、患者の自宅における薬剤の利用状況の管理だけでなく、薬剤配送時の薬局在庫管理にも用いられることができる。
【００９８】
なお、医療機関や薬局等から患者の自宅へ薬包１１が配送され、患者は、受け取った薬包１１を患者自身により薬箱１０へ格納するようにしてもよいし、例えば、医療機関や薬局等において薬箱１０に薬包１１が格納され、当該薬包１１が格納された薬箱１０が患者の自宅へ配送されるようにしてもよい。後者の場合には、薬箱１０に対し、当該薬箱１０を識別する識別情報である薬箱ＩＤを付与して、薬剤利用管理情報２００２において、患者ＩＤと薬箱ＩＤとを対応付けて記憶することで、薬剤利用管理システム１は、（薬包１１と患者とを対応付けて管理するだけでなく）薬箱１０と患者とを対応付けて管理することができる。
【００９９】
なお、例えば、複数の患者が生活する施設等において、１つの薬箱１０の中に複数の患者に対する薬包１１が格納され、１つの薬箱１０が複数の患者に対応する複数のユーザ端末１５とそれぞれ通信接続するような構成であってもよい。
これにより、薬箱１０を複数の患者の間で共用することが可能になるため、例えば、医療機関や薬局等は、複数の患者に対して施設単位で薬包１１を配送することができ、配送における管理コスト等を削減することができる。
【０１００】
また、この場合、他の患者に対して処方された薬剤１２を誤って利用してしまうことが無いように、薬包１１が薬箱１０から取り出された際に、薬剤利用管理サーバ２０は、当該薬包１１に対応付けられた患者ＩＤを薬剤利用管理情報２００２から取得し、取得した患者ＩＤを示す情報をユーザ端末１５へ送信するようにしてもよい。そして、ユーザ端末１５が、取得した患者ＩＤに基づく患者を示す情報を通知部１５４によって表示するようにしてもよい。
【０１０１】
これにより、患者は、薬箱１０から薬包１１を取り出した後、ユーザ端末１５に通知が表示されるのを待ち、当該通知が患者自身を示す情報であった場合に、取り出した薬包１１が患者自身の薬包１１であることを確認することができる。そして、患者は、取り出した薬包１１が自身の薬包１１であることを確認した上で、当該薬包１１に含まれる薬剤１２を利用することができる。そのため、本実施形態に係る薬剤利用管理システム１は、患者が、誤って他の患者に対して処方された薬剤１２を利用してしまうことを防ぐことができる。
【０１０２】
以上、この発明の実施形態について詳しく説明をしてきたが、具体的な構成は上述のものに限られることはなく、この発明の要旨を逸脱しない範囲内において様々な設計変更などをすることが可能である。
【０１０３】
なお、上述した実施形態における薬剤利用管理システム１の一部または全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
なお、ここでいう「コンピュータシステム」とは、薬剤利用管理システム１に内蔵されたコンピュータシステムであって、ＯＳや周辺機器などのハードウェアを含むものとする。また、「コンピュータ読み取り可能な記録媒体」とは、フレキシブルディスク、光磁気ディスク、ＲＯＭ、ＣＤ−ＲＯＭなどの可搬媒体、コンピュータシステムに内蔵されるハードディスクなどの記憶装置のことをいう。
【０１０４】
さらに「コンピュータ読み取り可能な記録媒体」とは、インターネットなどのネットワークや電話回線などの通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１０５】
また、上述した実施形態における薬剤利用管理システム１を、ＬＳＩ（Ｌａｒｇｅ  Ｓｃａｌｅ  Ｉｎｔｅｇｒａｔｉｏｎ）などの集積回路として実現してもよい。薬剤利用管理システム１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１０６】
１・・・薬剤利用管理システム、１０・・・薬箱、１１・・・薬包、１２・・・薬剤、１３・・・ＲＦＩＤタグ、１５・・・ユーザ端末、２０・・・薬剤利用管理サーバ、３０・・・医師端末、３１・・・薬剤師端末、３２・・・親族端末、５０・・・通信ネットワーク、５１・・・通信ネットワーク、５２・・・通信ネットワーク、１００・・・収容部、１０１・・・読取部、１０２・・・通信部、１５０・・・記憶部、１５１・・・タグ情報取得部、１５２・・・通信部、１５３・・・通知制御部、１５４・・・通知部、１５５・・・操作入力部、２００・・・記憶部、２０１・・・制御部、２０２・・・通信部、２０３・・・判定部、２０４・・・計時部、３００・・・記憶部、３０１・・・通信部、３０２・・・表示部、３０３・・・操作入力部、１５０１・・・カレンダー情報、２００１・・・タグ・薬包対応情報、２００２・・・薬剤利用管理情報
【図１】
2019013518.tif 000003
【図２】
2019013518.tif 000004
【図３】
2019013518.tif 000005
【図４】
2019013518.tif 000006
【図５】
2019013518.tif 000007
【図６】
2019013518.tif 000008
【図７】
2019013518.tif 000009
【図８】
2019013518.tif 000010
【図９】
2019013518.tif 000011